(57)【要約】【課題】ソーラー屋根通風装置の構造を提供する。【解決手段】強制的に室内外の空気を流通させ、主に屋根に中空の通風カバー11を設置し、天井の内外空間を連通させた状態にする。該通風カバー11の内部に複数の放熱シート121で形成する放熱体12を設置する。該放熱体12に複数の熱伝導管を連結し、該熱伝導管の片側を吸熱パネル14と連結する。該吸熱パネル14は吸熱する性質の材質で作られ、該吸熱パネル14の正面に黒い塗料を塗ることで、吸熱パネル14の吸熱速度を加速する。よって、吸熱パネル14が太陽のエネルギーを吸収した後、熱伝導管によって放熱体に伝導し、放熱体の温度が上昇すると同時に熱い空気が上昇することで、強制的に室内の空気を流動させ、有効的に室内外の通風効果に達する。【選択図】  図2
0003131122.tif 000002
【実用新案登録請求の範囲】
【請求項１】
通風カバーと放熱体と熱伝導管と吸熱パネルを含み、
該通風カバー11は中空の本体であり、屋根に設置し、室内外の空間を連通させ、及び
該放熱体12は通風カバーの内部に設置し、及び、
該熱伝導管13は放熱端131及び吸熱端132を具有し、該熱伝導管の放熱端131及び放熱体12を連結し、及び
該吸熱パネル14は熱伝導管13の吸熱端132と連結することを特徴とするソーラー屋根通風装置の構造。
【請求項２】
前記放熱体12は複数の放熱シート121によって形成することを特徴とする請求項1記載のソーラー屋根通風装置の構造。
【請求項３】
前記放熱シート121は銅、アルミ、鉄或いは炭素など、いずれかの材質で作られることを特徴とする請求項2記載のソーラー屋根通風装置の構造。
【請求項４】
前記熱伝導管13はヒートパイプ或いは冷水パイプの如何なる一種であることを特徴とする請求項1記載のソーラー屋根通風装置の構造。
【請求項５】
前記吸熱端132の上に蓋3を被せることを特徴とする請求項1記載のソーラー屋根通風装置の構造。
【請求項６】
前記蓋3はΩの形状で吸熱端141に覆うことを特徴とする請求項5記載のソーラー屋根通風装置の構造。
【請求項７】
前記蓋3は銅、アルミ、鉄或いは炭素など、いずれかの材質で作られることを特徴とする請求項5記載のソーラー屋根通風装置の構造。
【請求項８】
前記熱伝導管13はU字型形状で放熱体12を貫通して連結することを特徴とする請求項1記載のソーラー屋根通風装置の構造。
【請求項９】
前記熱伝導管13は間隔を開けて配列し、放熱体12に貫通して連結することを特徴とする請求項1記載のソーラー屋根通風装置の構造。
【請求項１０】
前記熱伝導管13は等間隔に放熱体12に貫通して連結することを特徴とする請求項1記載のソーラー屋根通風装置の構造。
【請求項１１】
前記吸熱パネル132は熱伝導の材質で作成することを特徴とする請求項1記載のソーラー屋根通風装置の構造。
【請求項１２】
前記吸熱パネル132は銅、アルミ、鉄或いは炭素など、いずれかの材質で作られることを特徴とする請求項1記載のソーラー屋根通風装置の構造。
【請求項１３】
前記吸熱パネル132は吸熱面141を具有することを特徴とする請求項1記載のソーラー屋根通風装置の構造。
【請求項１４】
前記吸熱面141に一層の黒い材質を被せることを特徴とする請求項13記載のソーラー屋根通風装置の構造。
【請求項１５】
前記吸熱面141に黒い塗料を塗ることを特徴とする請求項13記載のソーラー屋根通風装置の構造。
【考案の詳細な説明】
【技術分野】
【０００１】
本考案は通風装置の構造に関し、特に屋根に設置する無動力の通風装置の構造に関する。
【背景技術】
【０００２】
夏季の酷熱な気候に対し、如何にして生活するうえで過ごしやすくするのかが最も重要な課題となっている。テクノロジーの進歩により、扇風機やクーラーなどのエアコン設備など、多くの便利な設備を発明し、夏季を涼しく、快適な室内環境をもたらしてくれるが、密閉したエアコン環境では、高額な電気代がかかり、健康面にも影響を及ぼすなどの問題が生じる。自然な方法を利用し、酷熱な気温による、室内の蒸し暑さの問題を解決する必要がある。
【０００３】
一般的な建築で用いる通風方法は、ドアや窓を設置し、空気の流れ道を作る。しかし、プライバシーや安全面のニーズにより、ドア及び窓を閉めなければならず、空気の流れを妨げる結果となる。また、熱せられた空気が上昇する性質や、建築物の向きにより、ドアや窓を設置したとしても、熱い空気が建築物の天井に滞り、室内が蒸し暑く、通風不良の状態を作り出す。特に一般の工場建築にとって、更なる良好な通風環境が必要である。工場の建築物の室内スペースは一般の住宅よりも広く、一般的なドア及び窓の設計では、内部の通風放熱のニーズを十分に満たすことができない。よって、通常はドアや窓に換気扇などの空気を吸い込む設備を設置し、空気の流れを加速する。しかし、該設備は電気エネルギーを消耗し、経済コストの面で大きな負担となる。温度を下げるために屋根に水をかける人はいるが、効果がすこぶる良いこともなく、水道代がかさむ。
【０００４】
良好な室内環境を作ると同時にコストを下げるために、屋根に天窓を設置し、天井に集まった熱い空気を排出する方法があるが、直接屋根に天窓を設置すると、屋根に遮るものが無くなり、日差しや雨の問題が生じる。雨よけをつけると、通風の効果が半減する。よって、従来技術では、屋根に無動力のタービン通風装置10を案出した。図1に示すように、該通風装置10は複数の羽根状のフィン101で円球型を形成し、蓋102の上方に設置する。該蓋102は屋根に設置し、室内外の空間を連通し、熱い空気が上昇する性質を利用し、屋根に空気の流れ道を作ることで、天井に集中する熱い空気の出口を作ることで、空気が流れる。また、羽根状のフィンを101のデザインにより、外在の風力によって回転する機能も持ち合わせるため、素早く室内外の空気の流れを加速し、放熱の効果に達する。
【０００５】
従来技術の原理は、室内外の温度差を利用し、熱い空気を流れさせ、且つ外在の自然な風力に合わせ、該装置10の羽根状フィン101を動かし、空気の流動を加速するなど、受動的な空気の流動方法である。しかし、該装置10がスムーズに動作するポイントは、室内外の温度差があるときのみである。室内外の温度差が小さいと、顕著な効果がなく、或いは室外温度が室内温度より高い場合は、強制的に空気を自然に流れさせることができず、該装置10も十分に通風の効果を発揮することができない。同時に外在環境に風が吹かない場合、該羽根状フィン101は回転することができず、該動力タービン通風装置10は通風の効果を発揮できないなどの問題があり、改善する必要があった。
【特許文献１】特開２００４−３６０２９９号公報
【考案の開示】
【考案が解決しようとする課題】
【０００６】
前記の従来技術の欠点を解決するため、本考案の第一の目的は、強制的に室内外の空気を流通させるソーラー屋根の通風装置の構造を提供することにある。
【課題を解決するための手段】
【０００７】
前記課題を解決するために、本考案は通風カバーと放熱体と熱伝導管と吸熱パネルから構成されている。ソーラー熱を熱伝導管を利用して、複数の放熱シートによって構成する放熱体に伝わり、該放熱体の温度を上昇させ、放熱体と周りの冷たい空気で熱交換をすることで、熱い空気が放熱を行い、該熱い空気の上昇する特性を利用し、強制的に連通する室内の空気を流動させ、通風の効果が生まれる。
【考案の効果】
【０００８】
本考案は通風カバーと放熱体と熱伝導管と吸熱パネルの設置により、有効的且つ強制的に室内の空気を流れさせ、天井に集まっている熱い空気を外部に流し、室内の蒸し暑い環境を改善する。
【考案を実施するための最良の形態】
【０００９】
図2に示すのは、本考案の立体構造略図である。ソーラー屋根の通風装置1は主に通風カバー11、放熱体12、一個或いは一個以上の熱伝導管13(図では四本を掲示)及び吸熱パネル14を含む。該通風カバー11は長方形の中空のものであり、図3に示すように屋根2に設置し、室内外の空間を連通させる状態にする。該通風カバー11の内部に放熱体12を設け、該放熱体12は複数の放熱シート121によって構成され、同時に各放熱シート121は等間隔に設置し、通風カバー11の中で垂直な放熱ルートを形成する。該複数の放熱シート121は銅やアルミなど放熱性の高い金属の材質によって作られ、且つ該複数の放熱シート121の形状は、長方形やいかなる適切な形状にすることができる。熱伝導管13は本考案では、中空の密閉した管であり、ヒートパイプ或いは冷水パイプのいずれでも良い。放熱端131及び吸熱端132を具有し、該放熱端131はU字型の形状で、平行に該通風カバー11及び放熱体12の上に設置している。また、該吸熱パネル14の形状は、本考案では長方形で提示しているが、如何なる形状のパネルを使用することができ、ソーラーエネルギーを吸収しやすい場所に設置する。該吸熱パネル14の材質は銅やアルミ、鉄、炭素など高い熱伝導の素材で作られ、熱伝導管13の吸熱端132と連結し、該吸熱パネル14に吸熱面141を具有し、吸熱面141は該放熱パネル14の正面に位置し、太陽に向けるものである。該吸熱面141の上に黒い塗料などの黒色の材質を具有し、熱源の吸収を加速する。
【００１０】
図3に示すのは、本考案の操作略図である。ソーラー屋根通風装置1の通風カバー11及び通風カバー11の内部に設置する放熱体12を屋根2の上に設置し、屋根2の内外の空間を連通した状態にする。該吸熱パネル14を平たく屋根2の片側に敷き、同時に熱伝導管13の放熱端131を該通風カバー11及び放熱体12を貫通させ、且つ該熱伝導管13の吸熱端132を吸熱パネル14に連結することで、吸熱パネル14がソーラーエネルギーを吸収し、一定の熱エネルギーに達した後、熱伝導管13の吸熱端132により熱を吸収し、放熱端131に伝導し、該放熱端131が貫通する放熱体12に平均的に伝え、放熱体12の各放熱シート121より放熱することで、大量の熱い空気が生じ、それを各放熱シート121の中に形成する放熱ルートを伝って上昇すると同時に、通風カバー11内の空気を流動させるとともに、大量の屋根2内部に集まっている熱い空気を外部に流し、強制的に室内外の空気を流通させ、通風効果が生まれることで、屋内の蒸し暑い環境を改善する。
【００１１】
図4に示すのは、本考案の第2の実施例の構造俯瞰図である。通風カバー及び放熱体12に貫通する複数の熱伝導管13の放熱端131は、等間隔で左右に配列し、通風カバー11及び放熱体12に連結すると同時に、熱伝導管13a及び13cの吸熱端132a及び132cは放熱体12の右側方向に延伸し、吸熱パネル14aと連結し、熱伝導管13b及び13dの吸熱端132b及び132dは放熱体12の左側方向に延伸し、別の吸熱パネル14bと連結する。また、該熱伝導管13の設置方法は、図5に示すように、等間隔で放熱体12と貫通し、左右両側に延伸して吸熱パネル14a及び14bと連結する方法も可能である。
【００１２】
図6に示すのは、本考案の第3の実施例の操作略図である。ソーラー屋根通風装置1を屋根2に設置する際、屋根2内外の空間を連通した状態にし、且つ吸熱パネル14a及び14bをそれぞれ屋根2の両側に設置すると同時に、該吸熱パネル14a及び14bに黒い塗料を塗ることで、吸熱パネル14a及び14bを素早く太陽エネルギーを吸収できるようにする。吸熱パネル14a及び14bが一定のエネルギーを吸収した後、連結した熱伝導管13を通じ、エネルギーを放熱体12に伝導し、放熱体12によってエネルギーを熱い空気に変える。熱い空気の上昇する特性を生かし、各放熱シート121が形成する放熱ルートを伝って上昇して外部に放散する。こうすることで強制的に屋根2内外の空気を流通させ、屋根2内部の熱い空気を外部に排出し、通風効果が生まれる。
【００１３】
図7が示すのは、本考案の第4の実施例である。吸熱パネル14が連結する熱伝導管13の吸熱端132の上に、蓋3を被せる。該蓋3はΩの形状で覆い、該蓋3は銅、アルミ、鉄或いは炭素など高い熱伝導の材質で作られている。吸熱面積を拡大することで、吸熱端132より熱を吸収した後、放熱体12に伝導し、本考案の放熱作用を高める。
【００１４】
以上の実施例による本考案の詳細な説明は本考案の範囲を制限するものではない。本考案の構想に基づく各種の変化や修正、応用及び形を変更するなど、同じ効果が生まれる場合は、全て本考案の権利範囲とする。
【図面の簡単な説明】
【００１５】
【図１】従来技術の立体略図である。
【図２】本考案の立体構造略図である。
【図３】本考案の操作略図である。
【図４】本考案の第2実施例の構造俯瞰図である。
【図５】本考案の熱伝導管設置構造略図である。
【図６】本考案の第3実施例の操作略図である。
【図７】本考案の第4実施例構造略図である。
【符号の説明】
【００１６】
10    無動力タービン通風装置(従来技術)
101   羽根車状のフィン
102   蓋(従来技術)
1     ソーラー屋根通風装置
11    通風カバー
12    放熱体
121   放熱シート
13    熱伝導管(a〜d)
131   放熱端
132   吸熱端(a〜d)
14    吸熱パネル(a〜b)
141   吸熱面
2     屋根
3     カバーシート
【図１】
0003131122.tif 000003
【図２】
0003131122.tif 000004
【図３】
0003131122.tif 000005
【図４】
0003131122.tif 000006
【図５】
0003131122.tif 000007
【図６】
0003131122.tif 000008
【図７】
0003131122.tif 000009